(57)【要約】【課題】データ電極ラインと走査電極ラインとが所定間隔をおいて互いに交差して形成され、その交差領域に電界発光ディスプレイセルが形成される電界発光ディスプレイパネルの駆動方法を提供する。【解決手段】プリチャージ、走査及び反復段階を含む。プリチャージ期間では、あらゆるデータ電極ラインに印加されるデータ信号が遮断され、あらゆる走査電極ラインに第１電位が印加され、あらゆるデータ電極ラインがスイッチングによって電気的に互いに連結される。走査段階では、ある走査電極ラインに前記第１電位より低い第２電位が印加され、データ信号が前記データ電極ラインに印加されて前記走査電極ラインの選択された電界発光ディスプレイセルが発光する。反復段階では、前記プリチャージ及び走査段階が残りの走査電極ラインに対して反復して行われる。これにより、プリチャージ期間であらゆる走査電極ラインに相対的に高い電位が印加され、あらゆる電界発光セルに逆方向電圧が印加されるので、プリチャージ期間でのデータ電極ラインを通したクロストークが防止される。【選択図】  図７Ｂ
2004233651.tif 000002
【特許請求の範囲】
【請求項１】
データ電極ラインと走査電極ラインとが所定間隔をおいて互いに交差して形成され、前記交差領域に電界発光ディスプレイセルが形成された電界発光ディスプレイパネルの駆動方法において、
前記あらゆるデータ電極ラインに印加されるデータ信号を遮断し、前記あらゆる走査電極ラインに第１電位を印加し、前記あらゆるデータ電極ラインをスイッチングによって電気的に互いに連結するプリチャージ段階と、
ある走査電極ラインに前記第１電位より低い第２電位を印加し、データ信号を前記データ電極ラインに印加して、前記走査電極ラインの選択された電界発光ディスプレイセルを発光させる走査段階と、
前記プリチャージ及び走査段階を残りの走査電極ラインに対して反復して行う反復段階とを含む電界発光ディスプレイパネルの駆動方法。
【請求項２】
前記プリチャージ段階で、
前記データ電極ラインがツェナーダイオードのカソードと共に共通で連結され、前記ツェナーダイオードのアノードに前記第２電位を印加する請求項１に記載の電界発光ディスプレイパネルの駆動方法。
【発明の詳細な説明】
【０００１】
【発明の属する技術分野】
本発明は、電界発光ディスプレイパネルの駆動方法に係り、より詳細には、データ電極ラインと走査電極ラインとが所定間隔をおいて互いに交差して形成され、その交差領域に電界発光ディスプレイセルが形成される電界発光ディスプレイパネルの駆動方法に関する。
【０００２】
【従来の技術】
図１を参照すれば、一般的な電界発光ディスプレイ装置は電界発光ディスプレイパネル２及び駆動装置を含む。駆動装置は制御部２１、走査駆動部６及びデータ駆動部５を含む。ここで、スイッチ２５及び電圧保持回路２２は電界発光ディスプレイパネル２に含まれるか、駆動装置に含まれる。
【０００３】
電界発光ディスプレイパネル２にはデータ電極ライン３と走査電極ライン４とが所定間隔をおいて互いに交差して形成され、その交差領域に電界発光ディスプレイセル１が形成される。
【０００４】
制御部２１は、入力映像信号を処理してデータ駆動部５にディスプレイデータ信号及びスイッチング制御信号を入力し、走査駆動部６及びスイッチ２５にスイッチング制御信号を入力する。走査駆動部６は、制御部２１からのスイッチング制御信号に従って動作して走査電極ライン４を駆動する。制御部２１からのスイッチング制御信号に従って動作するデータ駆動部５は、制御部２１からのディスプレイデータ信号に従ってデータ電極ライン３を駆動する。
【０００５】
スイッチ２５は、制御部２１からのスイッチング制御信号に従って動作して全てのデータ電極ライン３を電気的に互いに連結するか、あるいは分離する。キャパシタ２４とツェナーダイオード２３との並列回路よりなる電圧保持回路２２は、ツェナーダイオード２３の降伏電圧としてデータ電極ライン３の下限電圧を決定する。
【０００６】
図１及び図２を参照して、電界発光ディスプレイパネル２を通常的に駆動する方法、例えば、特開２００２−１０８２８４号公報の駆動方法を説明すれば次の通りである。図２でＳＰＣは、制御部２１からデータ駆動部５、走査駆動部６、及びスイッチ２５に入力されるプリチャージ信号を示す。ＳＳｎは、走査駆動部６から第ｎ走査電極ライン、例えば走査電極ライン４ａに印加される走査駆動信号を示す。ＳＳｎ＋１は、走査駆動部６から第ｎ＋１走査電極ライン、例えば走査電極ライン４ｂに印加される走査駆動信号を示す。ＶＤｎ＋１は、いずれか一つのデータ電極ラインに印加される電圧波形を示す。
【０００７】
それぞれの水平駆動時間ａ、ｂはプリチャージ段階ｃ及び走査段階ｔ２〜ｔ３、ｔ４〜ｔ５を含む。
【０００８】
第ｎ水平駆動時間ａのプリチャージ段階ｔ１〜ｔ２ではあらゆるデータ電極ライン３に印加されるデータ信号が遮断される。また、走査スイッチ１０ａ，．．．，１０ｃの動作によって、第ｎ走査電極ライン外の他のあらゆる走査電極ラインに電界発光セルが発光することのない高い電位である第１電位が印加され、第ｎ走査電極ラインに前記第１電位より低い第２電位としての接地電位が印加される。そして、スイッチ２５の動作によってあらゆるデータ電極ライン３が電圧保持回路２に接続される。これにより、その以前水平駆動時間の走査時間で発光された第ｎ−１走査電極ラインの寄生容量に充電された電荷が電圧保持回路２２で設定された電圧まで放電されるので、あらゆるデータ電極ラインの電位が均一になる。
【０００９】
第ｎ水平駆動時間ａのｔ２〜ｔ３では、スイッチ２５の動作によってあらゆるデータ電極ライン３が電気的に互いに分離され、ディスプレイデータ信号がデータ電極ライン３に印加されて第ｎ走査電極ラインの選択された電界発光ディスプレイセルが発光される。なお、プリチャージ期間ｔ１〜ｔ２によってあらゆるデータ電極ラインの電位が接地電位よりも高い電位に設定されているため、選択された電界発光ディスプレイセルにより速く電圧が印加されるので輝度が高くなる。
【００１０】
前記のような動作原理は第ｎ＋１水平駆動時間ｂでも同一に適用される。
【００１１】
図１ないし図３Ｂを参照して、図２の駆動方法を実現する図１の走査駆動部６の内部動作を説明すれば次の通りである。図３Ａ及び図３Ｂで、ＳＴＰは、制御部２１から第１Ｄ型フリップフロップのデータ入力端子Ｄに入力される信号を、ＳＰＣは制御部２１からあらゆるＤ型フリップフロップのクロック端子ＣＬＫに印加される信号を、ＳＳ１は第１走査電極ライン４ａに印加される信号を、ＳＳ２は第２走査電極ライン４ｂに印加される信号を、ＳＳｎは第ｎ走査電極ライン４ｃに印加される信号を各々示す。
【００１２】
動作初期の第１水平同期時点ｔ１前後の時間で第１Ｄ型フリップフロップのデータ端子Ｄに論理ハイ状態の電圧が印加され、第１水平同期時点ｔ１でプリチャージ信号ＳＰＣのパルスが印加される。これにより、第１水平駆動時間ａで第１走査電極ライン４ａに印加される信号ＳＳ１だけ論理ロー状態になり、残りの走査電極ライン４ｂ、４ｃに印加される信号は論理ハイ状態になる。ここで、プリチャージ段階ｔ１〜ｔ２で前記プリチャージ動作が行われ、ｔ２〜ｔ３で前記走査動作が行われる。
【００１３】
次に、第２水平同期時点ｔ３で信号ＳＰＣのパルスが印加される。これにより、第２水平駆動時間ｂで第２走査電極ライン４ｂに印加される信号ＳＳ２だけ論理ロー状態になり、残りの走査電極ライン４ａ、４ｃに印加される信号は論理ハイ状態になる。ここで、ｔ３〜ｔ４で前記プリチャージ動作が行われ、ｔ４〜ｔ５で前記走査動作が行われる。
【００１４】
以上説明された通常的な電界発光ディスプレイパネルの駆動方法によれば、ｎ走査電極ラインに接続された電界発光セルが選択され発光している場合、データ電極ライン３の寄生容量には電界発光セル駆動電圧の電荷が蓄えられている。そして、ｎ＋１走査電極ラインが選択されると、ｎ走査電極ラインの期間に蓄えられた前記電荷はプリチャージ期間中、スイッチ２５によって放電される。この放電は、データ電極ラインの配線抵抗と寄生容量の時定数により、エクスポネンシャル・カーブとなる。このとき、ｎ＋１走査電極ラインに接続されている電界発光セルにはエクスポネンシャル・カーブで放電していく電圧が印加されるため、瞬間的だか、発光することになる。この発光がクロストークとなって現れるという問題点がある。
【００１５】
【特許文献１】
特開２００２−１０８２８４号公報
【００１６】
【発明が解決しようとする課題】
本発明の目的は、水平駆動時間の初期にプリチャージが行われ、データ電極ラインを通したクロストークが防止される電界発光ディスプレイパネルの駆動方法を提供することである。
【００１７】
【課題を解決するための手段】
前記目的を達成するための本発明は、データ電極ラインと走査電極ラインとが所定間隔をおいて互いに交差して形成され、前記交差領域に電界発光ディスプレイセルが形成される電界発光ディスプレイパネルの駆動方法において、プリチャージ、走査及び反復段階を含む。前記プリチャージ段階では、前記あらゆるデータ電極ラインに印加されるデータ信号が遮断され、前記あらゆる走査電極ラインに第１電位が印加され、前記あらゆるデータ電極ラインがスイッチングによって電気的に互いに連結される。前記走査段階では、ある走査電極ラインに前記第１電位より低い第２電位が印加され、データ信号が前記データ電極ラインに印加されて前記走査電極ラインの選択された電界発光ディスプレイセルが発光する。前記反復段階では、前記プリチャージ及び走査段階が残りの走査電極ラインに対して反復して行われる。
【００１８】
【発明の実施の形態】
以下、本発明による望ましい実施例が詳細に説明される。
【００１９】
図７Ａないし図７Ｃで、図１と同じ参照符号は同じ機能の対象を示す。図４及び図７Ａないし図７Ｃを参照して、電界発光ディスプレイパネル２を本発明によって駆動する方法を説明すれば次の通りである。図４でＳＰＣは、制御部２１からデータ駆動部５、走査駆動部６及びスイッチ２５に入力されるプリチャージ信号を示す。ＳＳｎは、走査駆動部６から第ｎ走査電極ライン、例えば走査電極ライン４ａに印加される走査駆動信号を示す。ＳＳｎ＋１は、走査駆動部６から第ｎ＋１走査電極ライン、例えば走査電極ライン４ｂに印加される走査駆動信号を示す。ＶＤｎ＋１は、いずれか一つのデータ電極ラインに印加される電圧波形を示す。
【００２０】
それぞれの水平駆動時間ａ、ｂはプリチャージ段階ｃ及び走査段階ｔ２〜ｔ３、ｔ４〜ｔ５を含む。
【００２１】
第ｎ水平駆動時間ａのプリチャージ段階ｔ１〜ｔ２では、あらゆるデータ電極ライン３に印加されるデータ信号が遮断される。また、走査スイッチ１０ａ，．．．，１０ｃの動作によってあらゆる走査電極ライン４に電界発光セルが発光することのない高い電位である第１電位が印加される（図７Ｂ参照）。そして、スイッチ２５の動作によってあらゆるデータ電極ライン３が電圧保持回路２２に接続される（図７Ｂ参照）。これにより、その以前の水平駆動時間の走査時間で発光された第ｎ−１走査電極ラインの寄生容量に充電されていた電荷が電圧保持回路２２で設定される電圧まで放電されるので、あらゆるデータ電極ラインの電位が均一になる。このとき、あらゆる走査電極ライン４に前記第１電位が印加され、あらゆる電界発光セル１に逆方向電圧が印加されるので、データ電極ライン３を通したクロストークが防止される。
【００２２】
第ｎ水平駆動時間ａの走査段階ｔ２〜ｔ３では、第ｎ走査スイッチ、例えば走査スイッチ１０ａまたは１０ｂの動作によって、第ｎ走査電極ラインに前記第１電位より低い第２電位としての接地電位が印加される。これと同時に、スイッチ２５の動作によってあらゆるデータ電極ライン３が電気的に互いに分離され、ディスプレイデータ信号がデータ電極ライン４に印加されて第ｎ走査電極ラインの選択された電界発光ディスプレイセルが発光される（図７Ａまたは図７Ｃ参照）。なお、プリチャージ段階ｔ１〜ｔ２によってあらゆるデータ電極ラインの電位が接地電位よりも高い電位に設定されているため、選択された電界発光ディスプレイセルにより速く電圧が印加されるので輝度が高くなる。
【００２３】
前記のような動作原理は第ｎ＋１水平駆動時間ｂでも同一に適用される。
【００２４】
図４ないし図５Ｂ、及び図７Ａないし図７Ｃを参照して、図４の駆動方法を実現する図７Ａないし図７Ｃの走査駆動部６の内部動作を説明すれば次の通りである。図５Ａ及び図５ＢでＳＴＰは、制御部２１から第１Ｄ型フリップフロップのデータ入力端子Ｄに入力される信号を、ＳＰＣは、制御部２１からあらゆるＤ型フリップフロップのクロック端子ＣＬＫに印加される信号を、ＳＱ１は第１Ｄ型フリップフロップの反転出力端子／Ｑ（図中では、Ｑの上に横線が引かれている）の信号を、ＳＱ２は第２Ｄ型フリップフロップの反転出力端子／Ｑの信号を、ＳＳ１は第１走査電極ライン４ａに印加される信号を、ＳＳ２は第２走査電極ライン４ｂに印加される信号を、ＳＳｎは第ｎ走査電極ライン４ｃに印加される信号を各々示す。
【００２５】
動作初期の第１水平同期時点ｔ１前後の時間で第１Ｄ型フリップフロップのデータ端子Ｄに論理ハイ状態の電圧が印加され、第１水平同期時点ｔ１で信号ＳＰＣのパルスが印加される。これにより、第１水平駆動時間ａで第１Ｄ型フリップフロップの反転出力端子／Ｑの信号ＳＱ１が論理ロー状態になり、残りのＤ型フリップフロップの反転出力端子／Ｑの信号ＳＱ２、ＳＱｎは論理ハイ状態になる。また、第１走査電極ライン４ａに印加される信号ＳＳ１は走査時間ｔ２〜ｔ３でのみ論理ロー状態になり、残りの走査電極ライン４ｂ、４ｃに印加される信号は論理ハイ状態になる。ここで、ｔ１〜ｔ２で前記プリチャージ動作が行われ（図７Ｂ参照）、ｔ２〜ｔ３で前記走査動作が行われる（図７Ａまたは図７Ｃ参照）。
【００２６】
次に、第２水平同期時点ｔ３で信号ＳＰＣのパルスが印加される。これにより、第２水平駆動時間ｂで第２Ｄ型フリップフロップの反転出力端子／Ｑの信号ＳＱ２は論理ロー状態になり、残りのＤ型フリップフロップの反転出力端子／Ｑの信号ＳＱ１、ＳＱｎは論理ハイ状態になる。また、第２走査電極ライン４ｂに印加される信号ＳＳ２は走査時間ｔ４〜ｔ５でのみ論理ロー状態になり、残りの走査電極ライン４ａ、４ｃに印加される信号は論理ハイ状態になる。ここで、ｔ３〜ｔ４で前記プリチャージ動作が行われ（図７Ｂ参照）、ｔ４〜ｔ５で前記走査動作が行われる（図７Ａまたは図７Ｃ参照）。
【００２７】
図６は、図４の駆動方法を実現する図７Ａないし図７Ｃのデータ駆動部５の内部構成を示すものである。図６及び図７Ａないし図７Ｃを参照すれば、データ駆動部５はインターフェース３０、ラッチ３１、デジタル−アナログ変換部３２、駆動回路３３及び出力部３４を含む。
【００２８】
インターフェース３０は、制御部２１からのディスプレイデータ信号をインターフェースしてラッチ３１に入力し、制御部２１からのタイミング制御信号をインターフェースしてラッチ３１、デジタル−アナログ変換部３２及び駆動回路３３に入力する。インターフェース３０からのディスプレイデータ信号は、ラッチ３１で一時的に保持された後にデジタル−アナログ変換部３２に入力される。インターフェース３０からのタイミング制御信号によって動作するデジタル−アナログ変換部３２は、ラッチ３１からのディスプレイデータ信号をアナログ信号に変換して駆動回路３３に入力する。
【００２９】
インターフェース３０からのタイミング制御信号によって動作する駆動回路３３は、デジタル−アナログ変換部３２からのディスプレイデータ信号によって電流源８を駆動して電流によるディスプレイデータ信号を発生させる。出力部３４は、駆動回路３３からのディスプレイデータ信号をデータ電極ライン３に出力する。
【００３０】
本発明は、前記実施例に限定されず、特許請求の範囲で定義された発明の思想及び範囲内で当業者によって変形及び改良されうる。
【００３１】
【発明の効果】
以上説明されたように、本発明による電界発光ディスプレイパネルの駆動方法によれば、プリチャージ期間であらゆる走査電極ラインに相対的に高い電位が印加され、あらゆる電界発光セルに逆方向電圧が印加されるので、プリチャージ期間でのデータ電極ラインを通したクロストークが防止される。
【図面の簡単な説明】
【図１】一般的な電界発光ディスプレイ装置の構成を示す図面である。
【図２】図１の電界発光ディスプレイパネルを通常的に駆動する方法を示すタイミング図である。
【図３Ａ】図２の駆動方法を実現する図１の走査駆動部の内部構成を示す回路図である。
【図３Ｂ】図３Ａの信号を示す電圧波形図である。
【図４】図１の電界発光ディスプレイパネルを本発明の一実施例によって駆動する方法を示すタイミング図である。
【図５Ａ】図４の駆動方法を実現する図７Ａないし図７Ｃの走査駆動部の内部構成を示す回路図である。
【図５Ｂ】図５Ａの信号を示す電圧波形図である。
【図６】図４の駆動方法を実現する図７Ａないし図７Ｃのデータ駆動部の内部構成を示す回路図である。
【図７Ａ】第１走査電極ラインに対して図４の走査段階が行われる間のスイッチング状態を示す図面である。
【図７Ｂ】図７Ａの走査段階に続き図４のプリチャージ段階が行われる間のスイッチング状態を示す図面である。
【図７Ｃ】
図７Ｂのプリチャージ段階に続き第２走査電極ラインに対して図４の走査段階が行われる間のスイッチング状態を示す図面である。
【符号の説明】
１  電界発光素子
２  電界発光ディスプレイパネル
３  データ電極ライン
４  走査電極ライン
５  データ駆動部
６  走査駆動部
８  電流源
１０ａ、１０ｃ  走査スイッチ
２１  制御部
２２  電圧保持回路
２５  充電スイッチ
【図１】
2004233651.tif 000003
【図２】
2004233651.tif 000004
【図３Ａ】
2004233651.tif 000005
【図３Ｂ】
2004233651.tif 000006
【図４】
2004233651.tif 000007
【図５Ａ】
2004233651.tif 000008
【図５Ｂ】
2004233651.tif 000009
【図６】
2004233651.tif 000010
【図７Ａ】
2004233651.tif 000011
【図７Ｂ】
2004233651.tif 000012
【図７Ｃ】
2004233651.tif 000013